(57)【要約】【課題】折り曲げられた１枚の板材で構成され、収容空間を仕切る隔壁部を有する収容箱を提供すること。【解決手段】一対の主仕切片７１，７２に、１つ以上の切れ込みスリット８３ａ，８３ｂが形成されている。一対の上底板片１３，１４各々に、底スリット８１ａ，８１ｂが形成されている。前記一対の副仕切片７３，７４各々に、前記底スリット８１ａ，８１ｂに連なる縦スリット８２ａ，８２ｂが形成されている。前記一対の第２対向側板２３，２４片各々に、前記底スリット８１ａ，８１ｂの延長部分であるスリット延長部８１ｃ，８１ｄが形成されている。前記一対の主仕切片７１，７２の一部が、前記底スリット８１ａ，８１ｂを貫通している。前記切れ込みスリット８３ａ，８３ｂの延長線上の部分と前記縦スリット８２ａ，８２ｂとが係合し、前記縦スリット８２ａ，８２ｂの延長線上の部分と前記切れ込みスリット８３ａ，８３ｂとが係合する。【選択図】図１
2020142850.tif 000002
【特許請求の範囲】
【請求項１】
折り曲げられた１枚の板材で構成され、収容空間を囲む４つの側板片を含む側板部とそれぞれ前記４つの側板片に連なる４つの底板片を含み前記側板部が形成する下方の開口を塞ぐ底板部と前記収容空間を複数に仕切る隔壁部とを有する直方体状の収容箱であって、
前記４つの底板片は、
それぞれ前記４つの側板片のうちの互いに対向する一対の第１対向側板片に連なる一対の下底板片と、
それぞれ前記４つの側板片のうちの残りの一対の第２対向側板片に連なり前記一対の下底板片の上に重なる一対の上底板片と、を含み、
前記隔壁部は、
それぞれ前記一対の下底板片に連なり、前記一対の下底板片との境界線で折り曲げられて重なった状態で前記収容空間内に立設する一対の主仕切片と、
それぞれ前記一対の上底板片に連なり、前記一対の上底板片との境界線で折り曲げられた状態で前記一対の主仕切片と直交する方向に沿って前記収容空間内に立設する一対の副仕切片と、を含み、
前記一対の主仕切片に、前記一対の主仕切片の先端から前記一対の下底板片へ向けて切れ込む１つ以上の切れ込みスリットが形成されており、
前記一対の上底板片各々に、前記一対の副仕切片各々との境界から前記一対の第２対向側板片各々との境界に亘る底スリットが形成されており、
前記一対の副仕切片各々に、前記底スリットに連なり前記一対の副仕切片各々が起立する方向に沿う縦スリットが形成されており、
前記一対の第２対向側板片各々に、前記底スリットの延長部分であるスリット延長部が形成されており、
重なって立設する前記一対の主仕切片の一部が、前記一対の上底板片各々の前記底スリットを貫通し、
前記一対の主仕切片における前記切れ込みスリットの延長線上の部分と前記一対の副仕切片の前記縦スリットとが係合し、前記一対の副仕切片における前記縦スリットの延長線上の部分と前記一対の主仕切片の前記切れ込みスリットとが係合する状態で、前記隔壁部が前記収容空間を格子状に区画する、収容箱。
【請求項２】
折り曲げられた１枚の段ボールで構成されている、請求項１に記載の収容箱。
【発明の詳細な説明】
【技術分野】
【０００１】
本発明は、収容空間を仕切る壁を有する収容箱に関する。
【背景技術】
【０００２】
物品の保管または運搬に用いられる収容箱として、段ボール箱が知られている。前記段ボール箱は、折り曲げられた１枚の段ボールで構成される。そのため、前記段ボール箱は、使用前後において展開されることにより、薄くコンパクトな状態で保管または搬送が可能である。
【０００３】
また、前記収容箱の内部の収容空間が、仕切部材で仕切られる場合がある。一般に、前記仕切部材は、前記収容箱とは別の部材で構成される（例えば、特許文献１参照）。
【先行技術文献】
【特許文献】
【０００４】
【特許文献１】特開２０００−６９５５号公報
【発明の概要】
【発明が解決しようとする課題】
【０００５】
ところで、前記収容箱が、前記収容空間を仕切る隔壁部とともに、折り曲げられた１枚の板材で構成されれば、前記収容箱が展開されたときに、前記収容箱を構成する部材の取り扱いが容易である。
【０００６】
本発明の目的は、折り曲げられた１枚の板材で構成され、収容空間を仕切る隔壁部を有する収容箱を提供することにある。
【課題を解決するための手段】
【０００７】
本発明の一の局面に係る収容箱は、折り曲げられた１枚の板材で構成された直方体状の箱である。前記収容箱は、収容空間を囲む４つの側板片を含む側板部とそれぞれ前記４つの側板片に連なる４つの底板片を含み前記側板部が形成する下方の開口を塞ぐ底板部と前記収容空間を複数に仕切る隔壁部とを有する。前記４つの底板片は、それぞれ前記４つの側板片のうちの互いに対向する２つに連なる一対の下底板片と、それぞれ前記４つの側板片のうちの残りの２つに連なり前記一対の下底板片の上に重なる一対の上底板片と、を含む。前記隔壁部は、それぞれ前記一対の下底板片に連なり、前記一対の下底板片との境界線で折り曲げられて重なった状態で前記収容空間内に立設する一対の主仕切片と、それぞれ前記一対の上底板片に連なり、前記一対の上底板片との境界線で折り曲げられた状態で前記一対の主仕切片と直交する方向に沿って前記収容空間内に立設する一対の副仕切片と、を含む。前記一対の主仕切片に、前記一対の主仕切片の先端から前記一対の下底板片へ向けて切れ込む１つ以上の切れ込みスリットが形成されている。前記一対の上底板片各々に、前記一対の副仕切片各々との境界から前記一対の第２側板片各々との境界に亘る底スリットが形成されている。前記一対の副仕切片各々に、前記底スリットに連なり前記一対の副仕切片各々が起立する方向に沿う縦スリットが形成されている。前記一対の第２対向側板片各々に、前記底スリットの延長部分であるスリット延長部が形成されている。重なって立設する前記一対の主仕切片の一部が、前記一対の上底板片各々の前記底スリットを貫通している。前記一対の主仕切片における前記切れ込みスリットの延長線上の部分と前記一対の副仕切片の前記縦スリットとが係合し、前記一対の副仕切片における前記縦スリットの延長線上の部分と前記一対の主仕切片の前記切れ込みスリットとが係合する状態で、前記隔壁部が前記収容空間を格子状に区画する。
【発明の効果】
【０００８】
本発明によれば、折り曲げられた１枚の板材で構成され、収容空間を仕切る隔壁部を有する収容箱を提供することが可能になる。
【図面の簡単な説明】
【０００９】
【図１】図１は、第１実施形態に係る収容箱の斜視図である。
【図２】図２は、第１実施形態に係る収容箱の平面図である。
【図３】図３は、第１実施形態に係る収容箱の底面図である。
【図４】図４は、第１実施形態に係る収容箱の展開図である。
【図５】図５は、第１実施形態に係る収容箱における第１仕切片および第２仕切片と第３仕切片とが係合する部分の一部切り欠き斜視図である。
【図６】図６は、第１実施形態に係る収容箱の第１縦断面図である。
【図７】図７は、第１実施形態に係る収容箱の第２縦断面図である。
【図８】図８は、第１実施形態に係る収容箱の第３縦断面図である。
【図９】図９は、第２実施形態に係る収容箱の縦断面図である。
【図１０】図１０は、参考例に係る収容箱の平面図である。
【図１１】図１１は、参考例に係る収容箱の縦断面図である。
【発明を実施するための形態】
【００１０】
以下、図面を参照しながら、本発明の実施形態について説明する。なお、以下の実施形態は、本発明を具体化した一例であって、本発明の技術的範囲を限定するものではない。
【００１１】
［第１実施形態］
第１実施形態に係る収容箱１０は、精密機器その他の物品が収容される箱である。収容箱１０は、前記物品の保管または運搬に用いられる。
【００１２】
収容箱１０は、折り曲げられた１枚の段ボールで構成されている。そのため、収容箱１０は、使用前後において展開されることにより、薄くコンパクトな状態で保管または搬送が可能である（図４参照）。
【００１３】
例えば、収容箱１０は、１枚の段ボール紙または１枚の段ボールプラスチックなどで構成されている。即ち、収容箱１０は、いわゆる段ボール箱である。収容箱１０が、１枚の厚紙で構成されてもよい。なお、前記段ボールまたは前記厚紙は、板材の一例である。
【００１４】
図１に示されるように、収容箱１０は、底板部１と底板部１上の収容空間１００を囲む４つの側板片２１〜２４とを有する。４つの側板片２１〜２４は、相互に対向する第１側板片２１および第２側板片２２と、相互に対向する第３側板片２３および第４側板片２４とを含む。
【００１５】
さらに、収容箱１０は、一対の外フラップ３１，３２および一対の内フラップ４１，４２も有する。一対の外フラップ３１，３２は、第１外フラップ３１および第２外フラップ３２を含み、一対の内フラップ４１，４２は、第１内フラップ４１および第２内フラップ４２を含む。
【００１６】
図１，４，６等に示されるように、第１外フラップ３１は、第１側板片２１の上方の１辺を成す曲げ部である第１上曲げ部３ａを介して第１側板片２１と連なっている。同様に、第２外フラップ３２は、第２側板片２２の上方の１辺を成す曲げ部である第２上曲げ部３ｂを介して第２側板片２２と連なっている。
【００１７】
図１，４，７等に示されるように、第１内フラップ４１は、第３側板片２３の上方の１辺を成す曲げ部である第３上曲げ部３ｃを介して第３側板片２３と連なっている。同様に、第２内フラップ４２は、第４側板片２４の上方の１辺を成す曲げ部である第４上曲げ部３ｄを介して第４側板片２４と連なっている。
【００１８】
一対の外フラップ３１，３２は、収容箱１０の上部の開口を塞ぐ蓋である。図６に示されるように、一対の外フラップ３１，３２は、閉じられることによって収容箱１０の天板部を成す。図６において、閉じられた一対の外フラップ３１，３２が仮想線（二点鎖線）で示されている。
【００１９】
一対の内フラップ４１，４２は、一対の外フラップ３１，３２の内面に重ねられることにより、一対の外フラップ３１，３２と第３側板片２３および第４側板片２４各々との間の隙間を塞ぐ。
【００２０】
ところで、収容箱１０が、収容空間１００を仕切る隔壁部とともに、折り曲げられた１枚の板材で構成されれば、収容箱１０が展開されたときに、収容箱１０を構成する部材の取り扱いが容易である。
【００２１】
収容箱１０は、収容空間１００を第１側板片２１および第２側板片２２が対向する方向において２つに仕切る二重隔壁部７ａを有する。二重隔壁部７ａは、重なった第１仕切片７１および第２仕切片７２を含む。
【００２２】
さらに、収容箱１０は、第３仕切片７３および第４仕切片７４も有する。第３仕切片７３および第４仕切片７４は、収容空間１００を第３側板片２３および第４側板片２４が対向する方向において仕切る。
【００２３】
そして、底板部１、４つの側板片２１〜２４、一対の外フラップ３１，３２、一対の内フラップ４１，４２、第１仕切片７１、第２仕切片７２、第３仕切片７３および第４仕切片７４は、折り曲げられた１枚の段ボールで構成されている。
【００２４】
図４は、収容箱１０の展開図である。便宜上、図４において、スリットの内側の孔の分に斜線が付されている。また、図６は、図２に示されるＡ−Ａ平面における収容箱１０の断面図であり、図７は、図２に示されるＢ−Ｂ平面における収容箱１０の断面図であり、図８は、図２に示されるＣ−Ｃ平面における収容箱１０の断面図である。
【００２５】
図１〜４に示されるように、収容箱１０は、底板部１および側板部２を有する。底板部１は、第１底板片１１、第２底板片１２、第３底板片１３および第４底板片１４を含む。側板部２は、第１側板片２１、第２側板片２２、第３側板片２３および第４側板片２４を含む。さらに、収容箱１０は、連結部５も有する。
【００２６】
図３に示されるように、第１底板片１１および第２底板片１２は、それらの外面に貼り付けられる粘着テープ９によって連結される。粘着テープ９は、第１底板片１１および第２底板片１２の境界線に沿って、第１底板片１１および第２底板片１２に跨がって貼り付けられる。
【００２７】
第１側板片２１は、第１底板片１１の１辺を成す曲げ部である第１底曲げ部１ａを介して第１底板片１１に連なっている（図４，６参照）。第２側板片２２は、第２底板片１２の１辺を成す曲げ部である第２底曲げ部１ｂを介して第２底板片１２に連なっている（図４，６参照）。
【００２８】
図６に示されるように、第１側板片２１は、第１底板片１１から起立して形成されている。第２側板片２２は、第２底板片１２から起立して形成されている。
【００２９】
図２，４に示されるように、第３側板片２３は、第１側板片２１の縦方向の１辺を成す曲げ部である第１縦曲げ部２ａを介して第１側板片２１に連なっている。さらに、第３側板片２３は、第２側板片２２の縦方向の１辺を成す曲げ部である第２縦曲げ部２ｂを介して第２側板片２２に連なっている。
【００３０】
第４側板片２４は、第２側板片２２における第２縦曲げ部２ｂに対し反対側の縦方向の１辺を成す曲げ部である第３縦曲げ部２ｃを介して第２側板片２２に連なっている。
【００３１】
連結部５は、第１側板片２１における第１縦曲げ部２ａに対し反対側の１辺を成す曲げ部である第４縦曲げ部２ｄを介して第１側板片２１に連なり、第４側板片２４に連結される。例えば、連結部５は、接着剤または粘着テープなどによって第４側板片２４に連結される。
【００３２】
なお、連結部５が、第４側板片２４における第３縦曲げ部２ｃに対し反対側の縦方向の１辺を成す曲げ部である第３縦曲げ部２ｃを介して第４側板片２４に連なっていてもよい。この場合、連結部５は、第１側板片２１に連結される。
【００３３】
図４〜６に示されるように、第１仕切片７１は、第１底板片１１における第１底曲げ部１ａに対し反対側の１辺を成す曲げ部である第３底曲げ部１ｃを介して第１底板片１１に連なっている。第１仕切片７１は、第１底板片１１から起立して形成されている。
【００３４】
第１仕切片７１は、収容空間１００を第１側板片２１および第２側板片２２が対向する方向において仕切る。
【００３５】
第２仕切片７２は、第２底板片１２における第２底曲げ部１ｂに対し反対側の１辺を成す曲げ部である第４底曲げ部１ｄを介して第２底板片１２に連なっている。第２仕切片７２は、第２底板片１２から起立して形成され、第１仕切片７１に重なっている。
【００３６】
第２仕切片７２は、重なった第１仕切片７１とともに、収容空間１００を第１側板片２１および第２側板片２２が対向する方向において仕切る。前述したように、重なった第１仕切片７１および第２仕切片７２が、二重隔壁部７ａである。
【００３７】
図４，５，７，８に示されるように、第３底板片１３は、第３側板片２３の下方の１辺を成す曲げ部である第５底曲げ部１ｅを介して第３側板片２３に連なっている。第３底板片１３には、第１底スリット８１ａが形成されている（図２，４，５参照）。第１底スリット８１ａは、第３側板片２３および第４側板片２４が対向する方向に沿うスリットである。
【００３８】
第１底スリット８１ａは、二重隔壁部７ａにおける第３底曲げ部１ｃおよび第４底曲げ部１ｄに沿う部分が挿入されるスリットである。第３底板片１３は、第１底板片１１および第２底板片１２の内面における第３側板片２３側の部分に重なっている。
【００３９】
本実施形態において、重なった第１仕切片７１および第２仕切片７２に、それらの上端から下方へ切れ込むスリットである複数組の切れ込みスリット８３が形成されている。即ち、二重隔壁部７ａに、その上端から下方へ切れ込む１つ以上の切れ込みスリット８３が形成されている。
【００４０】
具体的には、２組の切れ込みスリット８３が、二重隔壁部７ａの２箇所に形成されている。２組の切れ込みスリット８３は、第１切れ込みスリット８３ａと、第２切れ込みスリット８３ｂとを含む。
【００４１】
図４，７，８に示されるように、第４底板片１４は、第４側板片２４の下方の１辺を成す曲げ部である第６底曲げ部１ｆを介して第４側板片２４に連なっている。第４底板片１４には、第２底スリット８１ｂが形成されている（図２，４参照）。第２底スリット８１ｂも、第３側板片２３および第４側板片２４が対向する方向に沿うスリットである。
【００４２】
第２底スリット８１ｂは、二重隔壁部７ａにおける第３底曲げ部１ｃおよび第４底曲げ部１ｄに沿う部分が挿入されるスリットである。第４底板片１４は、第１底板片１１および第２底板片１２の内面における第４側板片２４側の部分に重なっている。
【００４３】
図４，７，８に示されるように、第３仕切片７３は、第３底板片１３における第５底曲げ部１ｅに対し反対側の１辺を成す曲げ部である第７底曲げ部１ｇを介して第３底板片１３に連なっている。
【００４４】
第３仕切片７３は、第３底板片１３から起立して形成されている。第３仕切片７３は、収容空間１００を第３側板片２３および第４側板片２４が対向する方向において仕切る。
【００４５】
第３仕切片７３には、第１底スリット８１ａと連なるスリットである第１縦スリット８２ａが形成されている（図４参照）。第１縦スリット８２ａは、二重隔壁部７ａにおける第３底曲げ部１ｃおよび第４底曲げ部１ｄから上方へ延びる第１帯状部８ａが挿入されるスリットである。
【００４６】
本実施形態において、第１帯状部８ａは、重なった第１仕切片７１および第２仕切片７２における第１切れ込みスリット８３ａの延長線上の部分である。
【００４７】
同様に、第４仕切片７４は、第４底板片１４における第６底曲げ部１ｆに対し反対側の１辺を成す曲げ部である第８底曲げ部１ｈを介して第４底板片１４に連なっている。
【００４８】
第４仕切片７４は、第４底板片１４から起立して形成されている。第４仕切片７４は、収容空間１００を第３側板片２３および第４側板片２４が対向する方向において仕切る。
【００４９】
第３仕切片７３および第４仕切片７４は、収容空間１００を第３側板片２３および第４側板片２４が対向する方向において３つに区切る。即ち、二重隔壁部７ａ、第３仕切片７３および第４仕切片７４は、収容空間１００を６つに区切る。
【００５０】
第４仕切片７４には、第２底スリット８１ｂと連なるスリットである第２縦スリット８２ｂが形成されている（図４参照）。第２縦スリット８２ｂは、二重隔壁部７ａにおける第３底曲げ部１ｃおよび第４底曲げ部１ｄから上方へ延びる第２帯状部８ｂが挿入されるスリットである。
【００５１】
本実施形態において、第２帯状部８ｂは、二重隔壁部７ａにおける第２切れ込みスリット８３ｂの延長線上の部分である。
【００５２】
さらに、第３仕切片７３における第１縦スリット８２ａの延長線上の部分である第３帯状部８ｃが、二重隔壁部７ａにおける第１切れ込みスリット８３ａに挿入されている。同様に、第４仕切片７４における第２縦スリット８２ｂの延長線上の部分である第４帯状部８ｄが、二重隔壁部７ａにおける第２切れ込みスリット８３ｂに挿入されている。
【００５３】
従って、図５に示されるように、第３仕切片７３における第１縦スリット８２ａおよび第１帯状部８ａと、二重隔壁部７ａにおける第１切れ込みスリット８３ａおよび第３帯状部８ｃとが、係合している。
【００５４】
従って、二重隔壁部７ａと第３仕切片７３とが、相互に支え合うことによって強固に起立した状態に保持される。
【００５５】
同様に、第４仕切片７４における第２縦スリット８２ｂおよび第２帯状部８ｂと、二重隔壁部７ａにおける第２切れ込みスリット８３ｂおよび第４帯状部８ｄとが、係合している。
【００５６】
従って、二重隔壁部７ａと第４仕切片７４とが、相互に支え合うことによって強固に起立した状態に保持される。
【００５７】
以上に示されるように、収容箱１０は、直方体状の箱である。四角筒状の側板部２は、収容空間１００を囲む４つの側板片２１〜２４を含む。また、底板部１は、それぞれ４つの側板片２１〜２４に連なる４つの底板片１１〜１４を含む。底板部１は、側板部２が形成する下方の開口を塞ぐ。
【００５８】
また、４つの仕切片７１〜７４は、収容空間１００を複数に仕切る隔壁部７を構成している。隔壁部７は、収容空間１００を格子状に区画する。
【００５９】
４つの底板片１１〜１４のうち、第１底板片１１および第２底板片１２は、それぞれ４つの側板片２１〜２４のうちの互いに対向する第１側板片２１および第２側板片２２に連なる一対の下底板片の一例である。また、第１側板片２１および第２側板片２２は、一対の第１対向側板片の一例である。
【００６０】
また、４つの底板片１１〜１４のうち、第３底板片１３および第４底板片１４は、それぞれ第１底板片１１および第２底板片１２の上に重なる一対の上底板片の一例である。第３底板片１３および第４底板片１４は、それぞれ４つの側板片２１〜２４のうちの残りの第３側板片２３および第４側板片２４に連なっている。第３底板片１３および第４底板片１４は、一対の上底板片の一例である。また、第３側板片２３および第４側板片２４は、一対の第２対向側板片の一例である。
【００６１】
隔壁部７の一部である第１仕切片７１および第２仕切片７２は、それぞれ第１底板片１１および第２底板片１２に連なり、第１底板片１１および第２底板片１２との境界線で折り曲げられて重なった状態で収容空間１００内に立設する。第１仕切片７１および第２仕切片７２は、一対の主仕切片の一例である。
【００６２】
隔壁部７の他の一部である第３仕切片７３および第４仕切片７４は、それぞれ第３底板片１３および第４底板片１４に連なっている。第３仕切片７３および第４仕切片７４は、それぞれ第３底板片１３および第４底板片１４との境界線で折り曲げられた状態で、第１仕切片７１および第２仕切片７２と直交する方向に沿って収容空間１００内に立設する。第３仕切片７３および第４仕切片７４は、一対の副仕切片の一例である。
【００６３】
第１仕切片７１および第２仕切片７２に形成された第１切れ込みスリット８３ａおよび第２切れ込みスリット８３ｂは、それぞれ第１仕切片７１および第２仕切片７２の先端から第１底板片１１および第２底板片１２へ向けて切れ込むスリットである。
【００６４】
第１底スリット８１ａは、第３底板片１３における第３仕切片７３との境界から第３側板片２３との境界に亘って形成されている。同様に、第２底スリット８１ｂは、第４底板片１４における第４仕切片７４との境界から第４側板片２４との境界に亘って形成されている。
【００６５】
第３仕切片７３に形成された第１縦スリット８２ａは、第１底スリット８１ａに連なり、第３仕切片７３が起立する方向に沿うスリットである。同様に、第４仕切片７４に形成された第２縦スリット８２ｂは、第２底スリット８１ｂに連なり、第４仕切片７４が起立する方向に沿うスリットである。
【００６６】
また、図４に示されるように、第３側板片２３には、第１底スリット８１ａの延長部分である第１スリット延長部８１ｃが形成されている。同様に、第４側板片２４には、第２底スリット８１ｂの延長部分である第２スリット延長部８１ｄが形成されている。
【００６７】
重なって立設する第１仕切片７１および第２仕切片７２の一部が、第３底板片１３の第１底スリット８１ａを貫通している。また、重なって立設する第１仕切片７１および第２仕切片７２の他の一部が、第４底板片１４の第２底スリット８１ｂを貫通している。
【００６８】
第１スリット延長部８１ｃが形成されていることにより、第１仕切片７１および第２仕切片７２の一部を第３底板片１３の第１底スリット８１ａに容易に貫通させることができる。同様に、第２スリット延長部８１ｄが形成されていることにより、第１仕切片７１および第２仕切片７２の他の一部を第４底板片１４の第２底スリット８１ｂに容易に貫通させることができる。
【００６９】
第１仕切片７１および第２仕切片７２における切れ込みスリット８３の延長線上の第１帯状部８ａおよび第２帯状部８ｂと、第３仕切片７３の第１縦スリット８２ａおよび第４仕切片７４の第２縦スリット８２ｂとが係合している。
【００７０】
さらに、第３仕切片７３における第１縦スリット８２ａの延長線上の第３帯状部８ｃおよび第４仕切片７４における第２縦スリット８２ｂの延長線上の第４帯状部８ｄと、第１仕切片７１および第２仕切片７２における切れ込みスリット８３とが係合している。
【００７１】
そして、上記の係合により起立状態に保持された隔壁部７が、収容空間１００を格子状に区画している。
【００７２】
収容箱１０は、収容空間１００を区切る二重隔壁部７ａ、第３仕切片７３および第４仕切片７４を有するため、複数の物品を分別して収容することができる。また、収容箱１０は、１枚の板材で構成されるため、使用前後において展開されたときに、部品数が少なく、取り扱いが容易である。
【００７３】
［第２実施形態］
次に、図９を参照しつつ、第２実施形態に係る収容箱１０Ａについて説明する。図９において、図１〜８に示される構成要素と同じ構成要素は、同じ参照符号が付されている。
【００７４】
以下、収容箱１０Ａにおける収容箱１０と異なる点について説明する。収容箱１０Ａにおいて、重なった第１仕切片７１および第２仕切片７２のことを第１二重隔壁部７ｂと称する。
【００７５】
収容箱１０Ａにおいて、第１二重隔壁部７ｂには、１つの切れ込みスリット８３が形成されている。そして、第１二重隔壁部７ｂにおける切れ込みスリット８３の延長線上の第５帯状部８ｅが、第３仕切片７３の第１縦スリット８２ａおよび第４仕切片７４の第２縦スリット８２ｂに挿入されている。
【００７６】
即ち、収容箱１０Ａにおいて、第３仕切片７３および第４仕切片７４は、重なっている。重なった第３仕切片７３および第４仕切片７４は、収容空間１００を第３側板片２３および第４側板片２４が対向する方向において２つに区切る第２二重隔壁部７ｃを成している。
【００７７】
収容箱１０Ａにおいて、第１二重隔壁部７ｂおよび第２二重隔壁部７ｃは、収容空間１００を４つに区切る。
【００７８】
そして、第３仕切片７３における第１縦スリット８２ａの延長線上の第３帯状部８ｃおよび第４仕切片７４における第２縦スリット８２ｂの延長線上の第４帯状部８ｄが、第１二重隔壁部７ｂにおける切れ込みスリット８３に挿入されている。
【００７９】
収容箱１０Ａが採用される場合も、収容箱１０が採用される場合と同様の効果が得られる。
【００８０】
［参考例］
次に、図１０および図１１を参照しつつ、参考例に係る収容箱１０Ｂについて説明する。図１０および図１１において、図１〜８に示される構成要素と同じ構成要素は、同じ参照符号が付されている。
【００８１】
以下、収容箱１０Ｂにおける収容箱１０と異なる点について説明する。収容箱１０Ｂは、収容箱１０から第３仕切片７３、第４仕切片７４および切れ込みスリット８３が省略された構成を有している。
【００８２】
収容箱１０Ｂにおいて、第１底スリット８１ａは、第３底板片１３における第５底曲げ部１ｅに対し反対側の端から第５底曲げ部１ｅへ向けて切れ込んで形成されている。同様に、第２底スリット８１ｂは、第４底板片１４における第６底曲げ部１ｆに対し反対側の端から第６底曲げ部１ｆへ向けて切れ込んで形成されている。
【００８３】
収容箱１０Ｂにおいて、二重隔壁部７ａにおける第３底曲げ部１ｃおよび第４底曲げ部１ｄに沿う部分が、第３底板片１３および第４底板片１４によって支えられている。これにより、二重隔壁部７ａが、第３底板片１３および第４底板片１４によって起立した状態に保持される。
【００８４】
収容箱１０Ｂは、収容空間１００を第３側板片２３および第４側板片２４が対向する方向において区分する必要がない場合に採用される。収容箱１０Ｂが採用される場合も、収容箱１０が採用される場合と同様の効果が得られる。
【００８５】
但し、収容箱１０、１０Ａが採用される場合、収容箱１０Ｂが採用される場合よりも、第１仕切片７１および第２仕切片７２がより強固に起立した状態に保持される。
【符号の説明】
【００８６】
１      ：底板部
１ａ    ：第１底曲げ部
１ｂ    ：第２底曲げ部
１ｃ    ：第３底曲げ部
１ｄ    ：第４底曲げ部
１ｅ    ：第５底曲げ部
１ｆ    ：第６底曲げ部
１ｇ    ：第７底曲げ部
１ｈ    ：第８底曲げ部
２ａ    ：第１縦曲げ部
２ｂ    ：第２縦曲げ部
２ｃ    ：第３縦曲げ部
２ｄ    ：第４縦曲げ部
３ａ    ：第１上曲げ部
３ｂ    ：第２上曲げ部
３ｃ    ：第３上曲げ部
３ｄ    ：第４上曲げ部
５      ：連結部
７ａ    ：二重隔壁部
７ｂ    ：第１二重隔壁部
７ｃ    ：第２二重隔壁部
８ａ    ：第１帯状部
８ｂ    ：第２帯状部
８ｃ    ：第３帯状部
８ｄ    ：第４帯状部
８ｅ    ：第５帯状部
９      ：粘着テープ
１０    ：収容箱
１０Ａ  ：収容箱
１０Ｂ  ：収容箱
１１    ：第１底板片
１２    ：第２底板片
２１    ：第１側板片
２２    ：第２側板片
２３    ：第３側板片
２４    ：第４側板片
３１    ：第１外フラップ
３２    ：第２外フラップ
４１    ：第１内フラップ
４２    ：第２内フラップ
１３    ：第３底板片
１４    ：第４底板片
７１    ：第１仕切片
７２    ：第２仕切片
７３    ：第３仕切片
７４    ：第４仕切片
８１ａ  ：第１底スリット
８１ｂ  ：第２底スリット
８２ａ  ：第１縦スリット
８２ｂ  ：第２縦スリット
８３    ：切れ込みスリット
８３ａ  ：第１切れ込みスリット
８３ｂ  ：第２切れ込みスリット
１００  ：収容空間
【図１】
2020142850.tif 000003
【図２】
2020142850.tif 000004
【図３】
2020142850.tif 000005
【図４】
2020142850.tif 000006
【図５】
2020142850.tif 000007
【図６】
2020142850.tif 000008
【図７】
2020142850.tif 000009
【図８】
2020142850.tif 000010
【図９】
2020142850.tif 000011
【図１０】
2020142850.tif 000012
【図１１】
2020142850.tif 000013